(57)【特許請求の範囲】
【請求項１】
自動販売機本体内に配設され、ＩＣカードと通信を行うためのアンテナを有する紙幣処理装置と、
前記自動販売機の扉部の前記アンテナと対向する位置に配設され、前記ＩＣカードを収容するカードホルダを有するマスクと
を具備することを特徴とするＩＣカード使用可能な自動販売機。
【請求項２】
自動販売機本体内に配設され、投入された紙幣の真偽を判定し、真と判定された場合に該紙幣を受け入れる紙幣処理装置において、
ＩＣカードと通信を行うためのアンテナを具備し、
前記アンテナを介して自動販売機の扉部の該アンテナに対向する位置に収容されたＩＣカードとの間で通信を行う
ことを特徴とする紙幣処理装置。
【請求項３】
自動販売機の扉部の前記アンテナに対向する位置に収容された前記ＩＣカードを支持するとともに、前記通信の終了に伴って前記ＩＣカードを排出するカード排出支持手段をさらに具備することを特徴とする請求項２記載の紙幣処理装置。
【請求項４】
前記ＩＣカードの収容の有無を検知するカード検知手段をさらに具備し、
前記検知手段により前記ＩＣカードの収容を検知した場合に、前記通信を開始することを特徴とする請求項２記載の紙幣処理装置。
【請求項５】
自動販売機本体の扉部の所定の位置に形成された貫通部に配設される自動販売機のマスクにおいて、
前記自動販売機本体内の所定の位置に配設されたアンテナとの間で通信を行うＩＣカードを収容するカードホルダを具備することを特徴とする自動販売機のマスク。
【請求項６】
前記カードホルダは、
該カードホルダ内のＩＣカードの有無を確認するための確認窓を有することを特徴とする請求項５記載の自動販売機のマスク。
【請求項７】
前記カードホルダは、
その底部の少なくとも一部が貫通していることを特徴とする請求項５記載の自動販売機のマスク。
【請求項８】
前記カードホルダは、
前記ＩＣカードを出入する挿入口に開閉自在のカバーを有することを特徴とする請求項５記載の自動販売機のマスク。
【発明の詳細な説明】
【０００１】
【発明の属する技術分野】
この発明は、自動販売機に関し、特に、従来の自動販売機の構成を大きく変えることなくＩＣカード使用した商品取引を行うことのできるＩＣカード使用可能な自動販売機に関する。
【０００２】
【従来技術】
一般に、自動で商品の取引を行う自動販売機やサービスの提供を行うサービス機器等においては、その内部に紙幣処理装置や硬貨処理装置が装着され、これらが投入された貨幣の真偽および金額を判定し、この判定結果に基づいて商品の取引等が行われる。
【０００３】
一方、近年では、貨幣を使用することなく、金銭情報等が格納されたＩＣカードを用いた、いわゆる電子マネーにより取引を行う自動販売機が提案されている。
【０００４】
このようなＩＣカードを用いて取引を行う場合には、自動販売機は当該ＩＣカードに対して金銭情報等の各種情報の記録再生を行うカードリーダライタを装着することが必要となる。
【０００５】
なお、現在、上述したカードリーダライタのＩＣカードに対するアクセス形式としてはＩＣカードに対し、アンテナ等の通信手段を介して非接触でアクセスするもの、あるいはＩＣカードに対しコンタクトを介し直接接触してアクセスするもの、あるいは、このような接触形、非接触形双方のアクセス機能を有するもの等が提供されている。
【０００６】
また、ＩＣカードも上述したカードリーダライタの各種アクセス形式に対応して、カード内にアンテナ機能を有し非接触で記憶領域から情報を伝達する形式のもの、あるいはカードリーダライタのコンタクトに直接接触して情報を伝達する形式のもの、また接触形、非接触形双方の機能を兼ねそなえた形式のもの等が提供されている。
【０００７】
【発明が解決しようとする課題】
ところが、紙幣処理装置や硬貨処理装置等が装着されている自動販売機に、さらにＩＣカードを用いるためのカードリーダライタを加える場合には、自動販売機内にカードリーダライタを収容するためのスペースを確保する必要があるとともに、自動販売機の正面（通常は扉状）にＩＣカードの出入のためのカード挿入口を設ける等、従来の自動販売機の構成を大きく変える必要がある。
【０００８】
そこで、この発明では、従来の自動販売機の構成を大きく変えることなく、ＩＣカードを利用した商品取引を行うことのできるＩＣカード使用可能な自動販売機を提供することを目的とする。
【０００９】
【課題を解決するための手段】
上述した目的を達成するため、請求項１の発明では、
自動販売機本体内に配設され、ＩＣカードと通信を行うためのアンテナを有する紙幣処理装置と、
前記自動販売機の扉部の前記アンテナと対向する位置に配設され、前記ＩＣカードを収容するカードホルダを有するマスクと
を具備することを特徴とする。
【００１０】
また、請求項２の発明では、
自動販売機本体内に配設され、投入された紙幣の真偽を判定し、真と判定された場合に該紙幣を受け入れる紙幣処理装置において、
ＩＣカードと通信を行うためのアンテナを具備し、
前記アンテナを介して自動販売機の扉部の該アンテナに対向する位置に収容されたＩＣカードとの間で通信を行う
ことを特徴とする。
【００１１】
また、請求項３の発明では、請求項２の発明において、
自動販売機の扉部の前記アンテナに対向する位置に収容された前記ＩＣカードを支持するとともに、前記通信の終了に伴って前記ＩＣカードを排出するカード排出支持手段をさらに具備することを特徴とする。
【００１２】
また、請求項４の発明では、請求項２の発明において、
前記ＩＣカードの収容の有無を検知するカード検知手段をさらに具備し、
前記検知手段により前記ＩＣカードの収容を検知した場合に、前記通信を開始することを特徴とする。
【００１３】
また、請求項５の発明では、
自動販売機本体の扉部の所定の位置に形成された貫通部に配設される自動販売機のマスクにおいて、
前記自動販売機本体内の所定の位置に配設されたアンテナとの間で通信を行うＩＣカードを収容するカードホルダを具備することを特徴とする。
【００１４】
また、請求項６の発明では、請求項５の発明において、
前記カードホルダは、
該カードホルダ内のＩＣカードの有無を確認するための確認窓を有することを特徴とする。
【００１５】
また、請求項７の発明では、請求項５の発明において、
前記カードホルダは、
その底部の少なくとも一部が貫通していることを特徴とする。
【００１６】
また、請求項８の発明では、請求項５の発明において、
前記カードホルダは、
前記ＩＣカードを出入する挿入口に開閉自在のカバーを有することを特徴とする。
【００１７】
【発明の実施の形態】
以下、この発明に係わるＩＣカード使用可能な自動販売機の一実施例を添付図面を参照して詳細に説明する。
【００１８】
図１は、この発明に係わるＩＣカード使用可能な自動販売機を構成する紙幣処理装置の概念斜視図であり、図２は、その断面図である。
図１および図２において、紙幣処理装置１は、フロント部２と本体３から構成され、フロント部２には非接触形のＩＣカードと通信を行うためのアンテナ２１とＩＣカードを支持するためのストッパ２２（２２−１および２２−２）、紙幣を挿入する紙幣挿入口２３、挿入された紙幣の引き抜き等を防止するために図中の矢印Ａ方向に駆動するシャッタ２４が具備され、本体３には挿入された紙幣を搬送するための搬送路３１と搬送ローラ３２、挿入された紙幣の真偽および金種を判別するための磁気センサ３３と光センサ３４、搬送ローラ３２を駆動する駆動モータ３５、真券と判定された紙幣を収容するスタッカ３６、スタッカを駆動するスタッカモータ３７、紙幣処理装置１の全体を制御する制御部３８が具備されている。
【００１９】
この紙幣処理装置１に紙幣挿入口２３から紙幣が挿入されると、該紙幣は搬送ローラ３２により搬送路上を搬送される。このとき、磁気センサ３３と光センサ３４の検出出力により、当該紙幣の真偽および金種が判定され、この判定結果により当該紙幣が真券で、かつ、適合金種（受入れ金種に制限がある場合）であれば、当該紙幣はスタッカ３６に収容される。
【００２０】
一方、この紙幣処理装置１が図示しないＩＣカードに対して、金種情報等の記録再生を行う場合には、後述するカードホルダとストッパ２２−１、２２−２により支持されるＩＣカードとアンテナ２１を介して通信を行う。
【００２１】
また、制御部３８は、紙幣の受入れおよびＩＣカードとの通信の両者を制御するとともに、これら両者の金銭情報等を図示しない自動販売機の制御部と通信する。
【００２２】
なお、ここでは、制御部３８を紙幣処理装置１内に配設しているが、制御部３８の配設箇所はこれに限らず、自動販売機内の他の箇所であってもよい。
【００２３】
ここで、上述のカードホルダについて説明する。
紙幣処理装置１が記録再生するＩＣカードを支持するためのカードホルダは、紙幣処理装置１を装着する自動販売機のマスク部に具備される。マスク部とは、必要に応じて紙幣の挿入口やそのカバー、投入金額を表示するディスプレイ等が配設され、自動販売機の正面（の扉）に設けられた貫通部に固着される部分であり、樹脂製のものが一般的である（マスク部は自動販売機の正面の全面を指す言葉としても使用されるが、この明細書では自動販売機正面の貫通部に固着される部分を指すものとする）。
【００２４】
図３は、カードホルダを具備するマスク部の概念断面図である。
図３において、マスク部４は、ＩＣカードを支持するためのカードホルダ４１、カードホルダ４１内のＩＣカードの有無を視認するための窓４２、カードホルダ４１内の汚濁を防止し図中の矢印Ｂ方向に開閉するカードホルダカバー４３、紙幣挿入口２３の汚濁を防止し図中の矢印Ｃ方向に開閉する紙幣挿入口カバー４４を具備して構成される。
【００２５】
また、カードホルダ４１は、マスク部４が自動販売機に固着された際に上述した紙幣処理装置１のストッパ２２（２２−１、２２−２）とともに、ＩＣカードを支持するために、その底部を必要としないため、内部に粉塵等が蓄積しないように底部が貫通している構成となっている。
【００２６】
同様の理由で、窓４２には透明なガラスや樹脂等をはめ込んでいるが、専ら屋内に設置される自動販売機が対象である場合には、窓は貫通していてもよく、カードホルダカバー４３も必要としない。
【００２７】
図４は、自動販売機の正面にマスク部４を固着し、さらに紙幣処理装置１を装着した際の断面図であり、図５は、同斜視図である。
同図に示すように、自動販売機の正面扉５にマスク部４を固着し、紙幣処理装置１を装着した場合には、カードホルダ４１とアンテナ２１は相対する位置となる。このカードホルダ４１には、図４中の矢印Ｄに示す方向でカードを出入するが、この矢印Ｄの方向が鉛直方向の場合には、正面扉５との位置の関係によりカードの出入が困難となり、困難が生じない場合においても所定の傾斜があった方がカードの出入が容易であるため、マスク部４（カードホルダ４１）および紙幣処理装置１（フロント部２）には所定の角度の傾斜をつけている。なお、両者の角度は、厳密に一致しなくとも非接触形のＩＣカードの記録再生には何等影響はない。
【００２８】
このカードホルダ４１に、ＩＣカードを挿入する際には、、カードホルダカバー４３を開き、上部からＩＣカードを挿入する。ＩＣカードが挿入されるとカードホルダ４１は、ストッパ２２（２２−１、２２−２）とともにＩＣカードを支持するが、このとき、ストッパ２２はＩＣカードの挿入を検知するセンサとしても動作する（この実施例ではストッパ２２がセンサとして動作するが、別にセンサを設けてもよい）。
【００２９】
ストッパ２２により、ＩＣカードの挿入が検知されると、制御部３８が動作し、アンテナ２１を介して制御部３８がＩＣカードに対する金銭情報等の記録再生を行う。取引（商品購入）が終了し、ＩＣカードに対する金銭情報等の記録再生が終了すると、制御部３８がストッパ２２を動作させてＩＣカードをカードホルダ４１から排出する。この動作のために、ストッパ２２にはアクチュエータを使用するが、より簡単な構成とするために、ばね等の弾性体を用いて同様の動作を可能とするストッパ２２を構成してもよい。
【００３０】
図６は、ばねを使用した場合のストッパ２２の構成を示した概念図である。
【００３１】
ストッパ２２をばねを使用した構成とする場合には、同図（ａ）に示すように、ストッパ２２をばね２２１で支持する。ユーザがＩＣカード６をカードホルダ４１に挿入すると、ユーザの力によりストッパ２２はＩＣカード６とともに、図中矢印Ｅの方向に移動する。
【００３２】
ストッパ２２とＩＣカード６が所定の位置まで移動すると、ばね２２１は圧縮され、ストッパ２２は同図（ｂ）に示すようにフック２２２で固定される。この状態で、ＩＣカード６に対する記録再生が終了すると、制御部３８がコイル２２３に通電する。これにより、鉄等の磁性体で作成されたフック２２２がコイル２２３に吸引され、ばね２２１が解放されてストッパ２２が図中矢印Ｆの方向に移動してＩＣカード６がカードホルダ４１から排出される。
【００３３】
ここで、図７を参照してＩＣカードが挿入されてから排出されるまでの制御部３８の動作を説明する。
図７は、制御部３８の動作の流れを示すフローチャートである。
【００３４】
制御部３８は、電源が投入され動作を開始すると（ステップ３０１）、カードホルダ４１内のカードの有無を検知するセンサとしても動作するストッパ２２がカードを検知するまで待機し（ステップ３０２でＮＯ）、ストッパ２２によりカードが検知されると（ステップ３０２でＹＥＳ）、アンテナ２１を介してカードホルダ４１内のＩＣカードと取引（通信）を開始する（ステップ３０３）。ここで、取引が終了すると（ステップ３０４でＹＥＳ）、コイル２２３に通電してカードをカードホルダ４１から排出し（ステップ３０５）、処理を終了する（ステップ３０６）。
【００３５】
また、上述の実施例では、カードの出入方向が鉛直方向であったが、水平方向とすることもできる。
図８は、カードの出入方向を水平方向とした場合の斜視図であり、図５に対応するものである。
【００３６】
図８においては、自動販売機の正面扉５０５に固着されたマスク部５０４には、図中矢印Ｇの方向からＩＣカードを出入するためのカード挿入口５４５が具備されている。このカード挿入口５４５にはカバーを付けていないが、窓５４２と紙幣挿入口カバー５４４は、上述の実施例と同様に具備されている。
【００３７】
このマスク部５０４を使用する場合には、図示しない紙幣処理装置が具備するストッパは、図中矢印Ｇの方向に対応したものとする必要があるが、その他の構成は同様とすることができる。
【００３８】
なお、上述の実施例では、ストッパを駆動してカードの排出を行うようにしたが、カードの挿入口を人間の指が入る程度の大きさにするか、窓を貫通させた構成とする場合には、ストッパを固定して（紙幣処理装置側とカードホルダ側のどちらが具備してもよい）、カードの排出はユーザ自らが行うようにすることもできる。
【００３９】
【発明の効果】
以上説明したように、この発明によれば、自動販売機に装着される紙幣処理装置にＩＣカードとの通信を行うアンテナを具備し、自動販売機のマスク部にカードホルダを具備して、両者を自動販売機に装着するように構成したので、
自動販売機内にカードリーダライタのための新たなスペースを確保する必要がないとともに、自動販売機の正面にＩＣカードの挿入口のための貫通部を形成することなくＩＣカードを利用した商品取引を行うことができる。
【００４０】
また、カードホルダ内からＩＣカードを排出するための機構を紙幣処理装置側に設けたためにマスク部への通電も必要なく、単に紙幣処理装置とマスク部を従来の自動販売機で使用されているものと取り替え、必要なソフトウェアを変更するだけでＩＣカードの使用が可能となる。
【００４１】
さらに、非接触形のＩＣカードを対象としてしているため、カードホルダの形状、つまり、マスク部の形状は紙幣処理装置の形状によって制限されず、自動販売機のデザイン性の向上を図れるほか、屋外環境に対応させた挿入口カバーやカード取り忘れ防止のための視認窓をカードホルダに具備することもできる。
【図面の簡単な説明】
【図１】この発明に係わるＩＣカード使用可能な自動販売機を構成する紙幣処理装置の概念斜視図。
【図２】この発明に係わるＩＣカード使用可能な自動販売機を構成する紙幣処理装置の概念断面図。
【図３】カードホルダを具備するマスク部の概念断面図。
【図４】自動販売機の正面にマスク部４を固着し、さらに紙幣処理装置１を装着した際の断面図。
【図５】自動販売機の正面にマスク部４を固着し、さらに紙幣処理装置１を装着した際の斜視図。
【図６】ばねを使用した場合のストッパ２２の構成を示した概念図。
【図７】制御部３８の動作の流れを示すフローチャート。
【図８】カードの出入方向を水平方向とした場合の斜視図。
【符号の説明】
１    紙幣処理装置
２    フロント部
３    本体
４    マスク部
５    正面扉
６    ＩＣカード
２１    アンテナ
２２、２２−１、２２−２    ストッパ
２３    紙幣挿入口
２４    シャッタ
３１    紙幣搬送路
３２    搬送ローラ
３３    磁気センサ
３４    光センサ
３５    駆動モータ
３６    スタッカ
３７    スタッカモータ
３８    制御部
４１    カードホルダ
４２    窓
４３    カード挿入口カバー
４４    紙幣挿入口カバー
２２１    ばね
２２２    フック
２２３    コイル
５０５    正面扉
５４２    窓
５４４    紙幣挿入口カバー
５４５    カード挿入口
【図１】
0004017052.tif 000002
【図２】
0004017052.tif 000003
【図３】
0004017052.tif 000004
【図４】
0004017052.tif 000005
【図５】
0004017052.tif 000006
【図６】
0004017052.tif 000007
【図７】
0004017052.tif 000008
【図８】
0004017052.tif 000009